(57)【特許請求の範囲】
【請求項１】
下部に箱形の選別機枠６を有し、この選別機枠６の上側に扱室機枠７と排塵機枠４とを有し、該選別機枠６と扱室機枠７と排塵機枠４とを一体的に連結して機台１９上に搭載してコンバインの脱穀装置を構成し、前記扱室機枠７は扱胴９を内装し、該扱胴９の一側の扱口に沿って下側にフィードチエン１を張設した扱口側枠２を設け、前記排塵機枠４は内部に吸引排塵機３を有し、排塵機枠４の後側には、カッター１７を有するカッター枠１８を一体に設け、該排塵機枠４とカッター枠１８とが機台１９に対して穂先側部ヒンジ２０回りに前後回動自在に設け、前記カッター枠１８を脱穀装置側へ閉回動した状態で排塵機枠４が扱室機枠７の後側に連接される構成とし、前記フィードチェン１を脱穀機体から離間可能に設け、前記選別機枠６上であって扱口側枠２と排塵機枠４との間には固定支柱５を選別機枠６から立設して設け、該固定支柱５に対してフィードチェン１を作業可能な状態に閉鎖して固定可能に構成するとともに、固定支柱５に対して前記排塵機枠４を作業可能な状態に閉鎖して固定可能に構成したことを特徴とするコンバインの脱穀機枠。
【発明の詳細な説明】
【０００１】
【産業上の利用分野】
この発明は、コンバインの脱穀機枠に関する。
【０００２】
【従来の技術、及び発明が解決しようとする課題】
コンバインの脱穀装置において、メンテナンスを容易にするために、フィードチエンを開く構成のものにあっては、このフィードチエンを閉鎖して作業可能な状態に固定する際、扱口側枠、又は、排塵機枠に固定していた。従って、扱口側枠は扱胴の振動を多く有し、又、排塵機枠は吸引排塵機の振動を多く有するので、このような扱口側枠や排塵機枠にフィードチェンを作業可能な状態に閉鎖して固定すると、フィードチェンによる振動とが重なって多くの振動が発生して、強度が小さくなっていた。
【０００３】
【課題を解決するための手段】
この発明は、下部に箱形の選別機枠６を有し、この選別機枠６の上側に扱室機枠７と排塵機枠４とを有し、該選別機枠６と扱室機枠７と排塵機枠４とを一体的に連結して機台１９上に搭載してコンバインの脱穀装置を構成し、前記扱室機枠７は扱胴９を内装し、該扱胴９の一側の扱口に沿って下側にフィードチエン１を張設した扱口側枠２を設け、前記排塵機枠４は内部に吸引排塵機３を有し、排塵機枠４の後側には、カッター１７を有するカッター枠１８を一体に設け、該排塵機枠４とカッター枠１８とが機台１９に対して穂先側部ヒンジ２０回りに前後回動自在に設け、前記カッター枠１８を脱穀装置側へ閉回動した状態で排塵機枠４が扱室機枠７の後側に連接される構成とし、前記フィードチェン１を脱穀機体から離間可能に設け、前記選別機枠６上であって扱口側枠２と排塵機枠４との間には固定支柱５を選別機枠６から立設して設け、該固定支柱５に対してフィードチェン１を作業可能な状態に閉鎖して固定可能に構成するとともに、固定支柱５に対して前記排塵機枠４を作業可能な状態に閉鎖して固定可能に構成したことを特徴とするコンバインの脱穀機枠の構成とする。
【０００４】
【作用、及び発明の効果】
脱穀作用は、フィードチエン１の回転によって穀稈を挟持移送しながら、穂部を扱室に供給して脱穀し、脱穀物は選別装置によって選別され、吸引排塵機３による吸引排塵作用を受ける。脱穀装置や選別装置等の内部を保守するには、フィードチエン１を外側方へ開く。
【０００５】
前述のごとく、フィードチェン１を外側方へ開くことができるために、扱胴周辺の保守点検作業を容易に行なうことができる。
また、フィードチェン１を作業可能な状態に閉鎖して固定する固定支柱５は、扱口側枠２や排塵機枠４とは独立した状態で、この扱口側枠２と排塵機枠４との間であって選別機枠６から立設して設けられているので、扱胴の振動を多く有する扱口側枠２の振動、又は、吸引排塵機３の振動を多く有する排塵機枠４の振動と、フィードチェン１との振動が重なることを防止できるようになって強度が小さくなるのを防止でき、安定した脱穀機体の構成とすることができる。
また、排塵機枠４の後側には、カッター１７を有するカッター枠１８を一体に設け、この排塵機枠４とカッター枠１８とが機台１９に対して穂先側部ヒンジ２０回りに前後回動する。
【０００６】
【実施例】
図１、図２において、コンバインの脱穀装置は、下部に箱形の選別機枠６を有し、この上側に扱室機枠７と、排塵機枠４とを有し、機台１９乃至車台上に搭載して、一体的に連結している。該選別機枠６内には、脱穀物を受けて揺動移送しながら選別する揺動選別装置、圧風を選別風路に送風する唐箕、及び選別穀粒を受けて取出す受樋等を有する。
【０００７】
扱室機枠７は、下側に脱穀網を有し上側に開閉できる扱室カバー８を有して前後方向の扱胴軸回りに回転する扱胴９を内装し、この一側の扱口に沿って下側にフィードチエン１を張設した扱口側枠２を設け、上側に扱室カバー８と一体の挟扼杆１０を設けこれらフィードチエン１と挟扼杆１０との間に穀稈を挟持して、前側の供給口１１から後側の排出口１２へ移送しながら扱胴９による脱穀を行わせる。
【０００８】
扱室機枠７の扱口下側には、前後に亘って扱口側枠２が下端部のヒンジ１３によって外側下方へ開放回動しうる構成とし、開放によって脱穀網や、脱穀網上の扱室１４内部、及び脱穀網下の選別室内上部等を露出しうる構成としている。又、この扱口側枠２の外側上部にはチエンレール１５やスプロケット１６を軸支し、これらにフィードチエン１を掛け渡している。
【０００９】
排塵機枠４は、内部に吸引排塵機３を有し、前側と下側とは、扱室１４後端の排出口１２と選別室後端部とに連通させる。この排塵機枠４の後側には、カッター１７を有するカッター枠１８を一体に設けて、機台１９に対して穂先側部ヒンジ２０回りに前後回動自在に設け、このカッター枠１８を脱穀装置側へ閉回動した状態で、排塵機枠４が扱室機枠７の後側に連接される。吸引排塵機３による排塵物とカッター１７による切断わらとは、このカッター枠１８内を下方へ排出される構成としている。
【００１０】
選別機枠６上の該扱口側枠２と排塵機枠４との間には、固定支柱５をこの選別機枠６から立設し、扱口側枠２の後端縁、及び排塵機枠４の株元側端縁を接当させて閉鎖状態にすることができ、フックの如き固定具２１，２２によって、固定支柱５に対して閉鎖位置を固定することができる。２３はカウンタ軸で扱室機枠７前端の供給口１１下にプラケット２４によって支架し、このカウンタ軸２３からカップリング２５を介して、前記フィードチエン１の一部のスプロケット１６軸２６連結して伝動すると共に、その他の扱胴軸や、唐箕、カッター１７、排稈チエン２６、吸引排塵機３等の伝動を行う構成としている。２７は該カウンタ軸２３等へ伝動する駆動軸で、機台１９上に設けている。
【００１１】
排稈チエン２６を軸架する排稈機枠は、扱室機枠７の後端から後方へ突設されて、フィードチエン１の終端に排送される脱穀済排稈を受継して、穂先寄後方へ移送するように斜め後方に亘って掛け渡されている。２８はこの上側を覆う排稈カバーである。又、この排稈チエン２６は、排稈を前記カッター１７上に供給したり、カッター枠１８後方に落下排出させるように切換搬送することができる。
【００１２】
なお、図３〜図６において、全稈供給形態のコンバインにおいて、脱穀穀粒を収容するグレンタンク２９を、後端部の縦オーガ３０の回りに外側へ開回動できるようにアーム４５で支柱構成し、このとき脱穀装置３１側の穀粒取出樋３２と、グレンタンク２９側に設けられた揚穀機３３とが分離、接合自在の構成としている。図３、図４は揚穀機３３をオーガ形態にした場合であり、図６は、バケット形態とした場合である。いずれも穀粒取出樋３２には螺旋３４を設けて穀粒の取出移送を行う。３５はグレンタンク２９の底部の螺旋で、後端部をアーム４５内の筒状部を介して縦オーガ３０に移送すべくのぞませている。又、縦オーガ３０の上端には方向変更自在のオーガ４４を連設している。グレンタンク２９の前端部にはフック３６を設け、機台１９乃至選別機枠６等に設けるロックピン３７に係合させて、グレンタンク２９の閉位置を固定することができる。３８は操縦席、３９は刈取搬送装置、４０は処理胴、４１は脱穀網、４２は処理網、４３はクローラである。
【図面の簡単な説明】
【図１】側面図。
【図２】作用を示す平面図。
【図３】別発明の作用平面図。
【図４】その側面図。
【図５】その一部の正断面図。
【図６】その一部別実施例を示す作用平面図。
【符号の説明】
１…フィードチエン、２…扱口側枠、３…吸引排塵機、４…排塵機枠、５…固定支柱、６…選別機枠、７…扱室機枠、９…扱胴、１７…カッター、１８…カッター枠、１９…機台、２０…穂先側部ヒンジ。
【図１】
0003547145.tif 000002
【図２】
0003547145.tif 000003
【図３】
0003547145.tif 000004
【図４】
0003547145.tif 000005
【図５】
0003547145.tif 000006
【図６】
0003547145.tif 000007